(57)【要約】【課題】杖等の棒状体を安定的に保持する機能を付加することができる棒状体用ホルダーを提供すること。【解決手段】略円弧状の内周面１１を有し先端側に開口部１２を設けた帯部１０と、左右一対の受け部２と、開口端部１３から後方に延設された左右一対のサポート片部３とを有する。帯部１０は拡開可能に設けられており、受け部２は傾斜した受け入れ面２２を有している。一対のサポート片部３は、開口端部１３との連結部３１を支点として弾性的に揺動可能に設けられている。棒状体を一対の受け入れ面２２の間の開口部１２に対面させて帯部１０の内部に向けて前進させることにより、開口部１２が押し広げられて棒状体を帯部１０内に収容することができ、帯部１０内に収容された棒状体が、一対のサポート片部３によって、外周側面から弾性的に挟持されるよう構成されている。【選択図】図１
2010082352.tif 000002
【特許請求の範囲】
【請求項１】
杖等の棒状体を保持するための棒状体用ホルダーであって、
略円弧状の内周面を有し、その先端側に開口部を設けた帯部と、
該帯部の上記開口部を挟んだ両方の開口端部の前方に設けられた左右一対の受け部と、
上記帯部の上記開口端部から後方に延設された左右一対のサポート片部とを有し、
上記帯部は、上記開口部の間隔が上記棒状体の外径よりも小さいと共に、該開口部が弾性的に拡開可能に設けられており、
上記一対の受け部は、上記開口部から離れた先端側から上記開口部に近づくにつれて互いの間隔が狭くなるように傾斜した受け入れ面を有しており、
上記一対のサポート片部は、互いの間隔が上記棒状体の外径よりも小さく設定されていると共に、上記帯部の上記開口端部との連結部を支点として弾性的に揺動可能に設けられており、
上記棒状体を一対の上記受け入れ面の間の上記開口部に対面させて上記帯部の内部に向けて前進させることにより、上記開口部が押し広げられて上記棒状体を上記帯部内に収容することができ、
上記帯部内に収容された上記棒状体が、上記一対のサポート片部によって、外周側面から弾性的に挟持されるよう構成されていることを特徴とする棒状体用ホルダー。
【請求項２】
請求項１において、上記一対のサポート片部は、互いに対面する挟持面が平面状に設けられており、該挟持面は、上記棒状体を上記帯部内に収容した際に、上記連結部を支点として、後端側に近づくほど間隔が広がるよう設定されていることを特徴とする棒状体用ホルダー。
【請求項３】
請求項１において、上記一対のサポート片部は、互いに対面する挟持面に上記棒状体の挟持位置を定めるための凹部が設けられていることを特徴とする棒状体用ホルダー。
【請求項４】
請求項１〜３のいずれか１項において、上記帯部は、上記開口端部から後方において周方向に切り欠いた切り欠き部を有し、上記サポート片部は、上記切り欠き部内に配置されて前方側の上記連結部によって上記開口端部に連結されていることを特徴とする棒状体用ホルダー。
【請求項５】
請求項１〜４のいずれか１項において、上記帯部の後端部には、上記棒状体用ホルダーを保持する外部部材に固定するための固定部が延設されていることを特徴とする棒状体用ホルダー。
【発明の詳細な説明】
【技術分野】
【０００１】
本発明は、テーブル、カウンタ、椅子その他の家具や設備に組み込んで使用することができ、杖等の棒状体を保持することができる棒状体用ホルダーに関する。
【背景技術】
【０００２】
例えば、テーブルやカウンタ等の設備を利用する際、その人が、老人や身体的に障害を持つ人の場合には、杖（ステッキ）等を携えてくる場合がある。また、一般の人が傘を携えている場合もある。
これらの杖や傘等の棒状体は、例えばテーブルやカウンタを利用する際に邪魔になる場合が多い。別途設けられた専用の傘立て等が設置されている場合には、これを使用してもよいが、テーブルやカウンタから離れている場合が多く、利便性に欠ける。
これまで、杖等を立てかける際の保持具としては、例えば、特許文献１に記載のものが提案されている。
【０００３】
【特許文献１】特開２００２−０６５４４４号公報
【発明の開示】
【発明が解決しようとする課題】
【０００４】
しかしながら、従来の杖等の保持具は、単に立てかけるだけの構成であるため、杖等を安定的に保持することが困難である。特に、テーブルやカウンタ等を備えた公共の既存設備等において不特定多数の人が利用することには不向きであると言える。
そこで、テーブルやカウンタ等に組み込むことによって杖等の棒状体を安定的に保持する機能を付加することができる棒状体用ホルダーを提供しようとするものである。
【課題を解決するための手段】
【０００５】
本発明は、杖等の棒状体を保持するための棒状体用ホルダーであって、
略円弧状の内周面を有し、その先端側に開口部を設けた帯部と、
該帯部の上記開口部を挟んだ両方の開口端部の前方に設けられた左右一対の受け部と、
上記帯部の上記開口端部から後方に延設された左右一対のサポート片部とを有し、
上記帯部は、上記開口部の間隔が上記棒状体の外径よりも小さいと共に、該開口部が弾性的に拡開可能に設けられており、
上記一対の受け部は、上記開口部から離れた先端側から上記開口部に近づくにつれて互いの間隔が狭くなるように傾斜した受け入れ面を有しており、
上記一対のサポート片部は、互いの間隔が上記棒状体の外径よりも小さく設定されていると共に、上記帯部の上記開口端部との連結部を支点として弾性的に揺動可能に設けられており、
上記棒状体を一対の上記受け入れ面の間の上記開口部に対面させて上記帯部の内部に向けて前進させることにより、上記開口部が押し広げられて上記棒状体を上記帯部内に収容することができ、
上記帯部内に収容された上記棒状体が、上記一対のサポート片部によって、外周側面から弾性的に挟持されるよう構成されていることを特徴とする棒状体用ホルダーにある（請求項１）。
【０００６】
本発明の棒状体用ホルダーは、上記構成を有しているので、上記帯部内に収容した棒状体を安定的に保持することができる。
すなわち、上記帯部の開口端部には、上記受け入れ面を有する受け部を設けてあるので、棒状体を開口部に対面させて前進させるだけで、受け部が棒状体によって左右方向に押圧され、容易に開口部を押し開くことができる。そのため、棒状体を上記円弧状の内周面を有する帯部内にスムーズに挿入することができる。
【０００７】
また、本発明の棒状体用ホルダーは、上記一対のサポート片部を備えている。そして、このサポート片部は、その前方側に設けられた上記連結部によって、上記帯部の開口端部に連結されている。そのため、帯部内に棒状体が収容された際には、帯部の開口部に位置する連結部を支点として上記サポート片部が揺動可能である。また、上記一対のサポート片部の間隔は、もともと棒状体の外径よりも小さく設定されている。そのため、開口部を超えて棒状体が帯部内に進入した後も、常時帯状体が一対のサポート片部によって挟持された状態が得られる。また、サポート片部により棒状体を挟持した際には、その挟持力が、棒状体を帯部の奥側（開口部と反対側の後方側）に向けて働く。そのため、いわば棒状体が帯部内に吸い込まれるように挿入することができ、挿入完了後も安定的に保持することができる。
【０００８】
従来から市場に出ている棒状体用ホルダーとしては、上記帯部に相当する部位だけによって構成されているものが殆どである。そのため、棒状体の外径が開口部の幅よりも大きいが内部の内径よりも小さい場合には、帯部内でがたつきを持って保持される。この点、上記のごとく開口端部に連結部を有する上記一対のサポート片部を設けたことにより、非常に優れた保持安定性を確保することができる。
【０００９】
また、上記棒状体用ホルダーは、例えば、椅子の手摺、カウンター、記帳台、会計カウンター用荷物用棚、ホテル・レストラン接客用スタンド、テーブル、ベッドサイド、ソファーサイド、トイレ内の手摺り・壁面等に配設することによって、これらの設備を使う人達の利便性を向上させることができる。例えば、これら設備等への組付けは、所望の部分に棒状体を挿入するための切り欠きを設け、その切り欠きと上記帯部の内周面が一致する状態で裏側から棒状体用ホルダーを埋め込み配置すること等によって行うことができる。また、後述する固定部を固定させて帯部等を露出させた状態で配設することもできる。なお、家具、設備等への組み付け方法はその他の様々な方法を適用可能である。
【発明を実施するための最良の形態】
【００１０】
本発明の棒状体用ホルダーにおいて、上記一対のサポート片部は、互いに対面する挟持面が平面状に設けられており、該挟持面は、上記棒状体を上記帯部内に収容した際に、上記連結部を支点として、後端側に近づくほど間隔が広がるよう設定されていることが好ましい（請求項２）。この場合には、上記サポート片部の挟持面に挟持された棒状体が、その挟持力によって奥側（開口部と反対側の後方側）に向けて押圧されることとなる。そのため、棒状体は帯部の内周面の後端側に押し当てられ、一対の挟持面と合わせて３点支持状態で保持することができる。そのため、より安定した棒状体の保持状態が実現できる。
【００１１】
また、上記一対のサポート片部は、互いに対面する挟持面に上記棒状体の挟持位置を定めるための凹部が設けられている構成を取ることもできる（請求項３）。この場合には、帯部の内周面に当接するしないにかかわらず、一対の凹部に挟み込むように棒状体を位置決めでき、この場合にも十分に安定した棒状体の保持状態が得られる。
【００１２】
また、上記帯部は、上記開口端部から後方において周方向に切り欠いた切り欠き部を有し、上記サポート片部は、上記切り欠き部内に配置されて前方側の上記連結部によって上記開口端部に連結されていることが好ましい（請求項４）。
上記棒状体を上記帯部内に挿入した状態における棒状体の軸方向を棒状体用ホルダーの軸方向とした場合に、上記帯部と上記サポート片部とが軸方向に重なり合わずに完全にずれた状態に配置することも可能である。しかしながら、帯部の一部を切り欠いてその切り欠き部の中にサポート片部を配置すれば、帯部とサポート片部の上記軸方向位置を重なり合わせることが可能である。そしてこの場合には、帯部の開口部を押し広げて棒状体を挿入し、さらに棒状体によってサポート片部を押し広げる際に、その応力がかかる軸方向位置がほぼ同じなので、より安定した挿入動作を実現することができる。
【００１３】
また、上記帯部の後端部には、上記棒状体用ホルダーを保持する外部部材に固定するための固定部が延設されていることが好ましい（請求項５）。この場合には、例えば家具等に棒状体用ホルダーを配設する場合に、その家具等の所望の部位（外部部材）に上記固定部を用いて固定することによって、帯部及びサポート片部の動きに支障を来すことなく容易に固定することができる。なお、固定部の構造は、外部部材との関係で種々の形状を選択することができる。
【実施例】
【００１４】
（実施例１）
本発明の実施例に係る棒状体用ホルダーにつき、図１〜図１０を用いて説明する。
本例の棒状体用ホルダー１は、図４〜図６に示すごとく、杖等の棒状体８を保持するための棒状体用ホルダーである。
図１に示すごとく、棒状体用ホルダー１は、略円弧状の内周面１１を有し、その先端側に開口部１２を設けた帯部１０と、帯部１０の開口部１２を挟んだ両方の開口端部１３の前方に設けられた左右一対の受け部２と、帯部１０の開口端部１３から後方に延設された左右一対のサポート片部３とを有する。
【００１５】
帯部１０は、自然状態において開口部１２の間隔Ｗ１が上記棒状体８（図４）の外径Ｒよりも小さいと共に、開口部１２が弾性的に拡開可能に設けられている。この開口部１２の間隔Ｗ１は、目のご不自由な方が使用する白杖の標準的なサイズのものが使用できるように、約９ｍｍ（８〜１０ｍｍ）に設定してある。また、帯部１０の内周面１１の直径は、約２６ｍｍに設定してある。
一対の受け部２は、上記開口部１２から離れた先端２１側から開口部１２に近づくにつれて互いの間隔が狭くなるように傾斜した受け入れ面２２を有している。
一対のサポート片部３は、自然状態において互いの間隔Ｗ２が棒状体８の外径Ｒよりも小さく設定されていると共に、帯部１０の開口端部１３との連結部３１を支点として弾性的に揺動可能に設けられている。本例では、間隔Ｗ２は上記間隔Ｗ１と同じにした。
【００１６】
また、本例における、上記一対のサポート片部２は、互いに対面する挟持面３５が平面状に設けられている。そして、後述する図６に示すごとく、挟持面３５は、棒状体８を帯部１０内に収容した際に、連結部３１を支点として、後端側に近づくほど間隔が広がるよう設定されている。
【００１７】
また、図２、図３に示すごとく、本例の帯部１０は、開口端部１３から後方において周方向に切り欠いた切り欠き部１９を有し、サポート片部３は、切り欠き部１９内に配置されて前方側の連結部３１によって開口端部１３に連結されている。
また、図１〜図３に示すごとく、帯部１０の後端部には、棒状体用ホルダー１を保持する外部部材（図示略）に固定するための固定部５が延設されている。本例では、略長方形状の断面を有する固定部５を首部５５を介して帯部１０の後端部に設けてある。
【００１８】
そして、上記構造の棒状体用ホルダー１は、全体が１つの部品から一体的に構成されている。材質は合成樹脂の一種であるジュラコンを採用した。ジュラコンは、弾性を有すると共に耐久性に優れている。
【００１９】
次に、上記構造の棒状体用ホルダー１を用いて棒状体８を保持するに当たっては、図４に示すごとく、棒状体８を一対の受け入れ面２２の間の開口部１２に対面させて上記帯部１０の内部に向けて前進させる。これにより、同図に示すごとく、受け入れ面２２の傾斜の影響で棒状体８の外周面に押されて受け部２が互いに外方に移動し、これに連れて帯部３の開口部１２が押し広げられる。
【００２０】
次に、図５に示すごとく、棒状体８をさらに前進させることによって、開口部１２の間隔が棒状体８と同等となり、棒状体８は帯部１０内に収容されていく。
そして、同図に示すごとく、連結部３１を超えて棒状体８を前進させると、一対のサポート片部３の挟持面３５が平行な状態を通り越して、徐々に奥側が開いた状態となる。これにより、棒状体８には、サポート片部３から帯部１０の内部の奥側に押圧する力が働き、棒状体８が吸い込まれるような状態となる。また、棒状体８には、常時サポート片部３からの挟持力が作用し、帯部１０内部においてがたつくことがない。
【００２１】
そして、最終的には、図６に示すごとく、帯部１０内に収容された棒状体８が、一対のサポート片部３によって、外周側面から弾性的に挟持されるよう構成された状態となる。本例では、同図に示すごとく、棒状体８は帯部１０の内周面１１の後端側に押し当てられ、一対の挟持面３５と合わせて３点支持状態で保持される。
【００２２】
このように、本例の棒状体用ホルダー１は、杖等の棒状体８を非常にスムーズに収容し安定的に保持することができる。
また、棒状体８を取り出す際には、棒状体８を引き出すだけでよく、上記棒状体用ホルダー１は図６の状態から図４の状態を経て容易に図１の状態に戻すことができる。
【００２３】
このように、本例の棒状体用ホルダー１は、棒状体８の挿入がスムーズで、安定した保持が可能である。そして、たとえ目のご不自由な方が棒状体８としての白杖を保持させ用とした際にも、上記サポート片部３による常時安定した挟持力が得られ、安心して使用することができる。
【００２４】
また、この棒状体用ホルダー１を、例えば、カウンタ、テーブル、椅子などの人が利用する家具や備え付け設備に配設することによって、これらの設備を使う人達の利便性を向上させることができる。このとき、上記固定部５を用いて簡易な固定構造を採用することができる。
【００２５】
上記固定部５については、図７に示すごとく、略Ｔ字状に形成した固定部５０２、図８に示すごとく、貫通穴５０５を複数設けた固定部５０３、その他様々な形状に変更することが可能である。
【００２６】
また、本例では、サポート片部３として、挟持面３５全体が平面状のものを採用したが、これに代えて、図９に示すごとく三角形状の溝よりなる凹部３５２を設けた形状、あるいは、図１０に示すごとく、半円状の溝よりなる凹部３５３を設けた形状等を採用することもできる。これらの凹部３５１、３５２あるいはその他の形状の凹部を挟持面に設けた場合には、対面する一対の凹部３５１、３５２等によって挟持した棒状体８を位置決めすることが容易となる。
【図面の簡単な説明】
【００２７】
【図１】実施例１における、棒状体用ホルダーの構成を示す平面図。
【図２】実施例１における、棒状体用ホルダーの構成を示す側面図。
【図３】実施例１における、棒状体用ホルダーの断面図（図２のＢ−Ｂ線矢視断面図）。
【図４】実施例１における、棒状体用ホルダーに棒状体を挿入している初期状態を示す説明図。
【図５】実施例１における、棒状体用ホルダーの開口端部を超えて棒状体が挿入した直後の状態を示す説明図。
【図６】実施例１における、棒状体用ホルダーの帯部内に棒状体の挿入が完了した状態を示す説明図。
【図７】実施例１における、固定部の別例を示す説明図。
【図８】実施例１における、固定部の別例を示す説明図。
【図９】実施例１における、サポート片部の挟持面の形状の別例を示す説明図。
【図１０】実施例１における、サポート片部の挟持面の形状の別例を示す説明図。
【符号の説明】
【００２８】
１  棒状体用ホルダー
１０  帯部
１１  内周面
１２  開口部
１３  開口端部
２  受け部
２２  受け入れ面
３  サポート片部
３１  連結部
３５  挟持面
５  固定部
【図１】
2010082352.tif 000003
【図２】
2010082352.tif 000004
【図３】
2010082352.tif 000005
【図４】
2010082352.tif 000006
【図５】
2010082352.tif 000007
【図６】
2010082352.tif 000008
【図７】
2010082352.tif 000009
【図８】
2010082352.tif 000010
【図９】
2010082352.tif 000011
【図１０】
2010082352.tif 000012